(57)【要約】【課題】本発明は、溶断後の信頼性を向上させることができる面実装型電流ヒューズおよびその製造方法を提供することを目的とするものである。【解決手段】本発明の面実装型電流ヒューズは、絶縁性を有する基台１１と、前記基台１１の両端部に設けられた一対の外部電極１２と、前記一対の外部電極１２間において前記基台１１に設けられた貫通孔１３と、前記貫通孔１３に挿入され、かつ前記一対の外部電極１２に電気的に接続されたエレメント部１４とを備え、前記貫通孔１３の向きを鉛直方向にしたものである。【選択図】図１
2007220645.tif 000002
【特許請求の範囲】
【請求項１】
絶縁性を有する基台と、前記基台の両端部に設けられた一対の外部電極と、前記一対の外部電極間において前記基台に設けられた貫通孔と、前記貫通孔に挿入され、かつ前記一対の外部電極に電気的に接続されたエレメント部とを備え、前記貫通孔の向きを鉛直方向にした面実装型電流ヒューズ。
【請求項２】
外部電極として電極キャップを用いるようにした請求項１記載の面実装型電流ヒューズ。
【請求項３】
外部電極で基台の貫通孔が設けられた箇所以外の部分を覆うようにした請求項１記載の面実装型電流ヒューズ。
【請求項４】
貫通孔を難燃性の樹脂で覆うようにした請求項１記載の面実装型電流ヒューズ。
【請求項５】
難燃性の樹脂として熱収縮チューブを用いるようにした請求項４記載の面実装型電流ヒューズ。
【請求項６】
熱収縮チューブの色を製品別に変えるようにした請求項５記載の面実装型電流ヒューズ。
【請求項７】
熱収縮チューブを無機材料を含有する難燃性塗料で覆うようにした請求項５記載の面実装型電流ヒューズ。
【請求項８】
外部電極として厚膜金属を用いるようにした請求項１記載の面実装型電流ヒューズ。
【請求項９】
貫通孔の開口部の形状を、２つの外部電極を結ぶ方向と平行な方向の長さが、前記２つの外部電極を結ぶ方向と垂直な方向の長さより長くなるように構成した請求項１記載の面実装型電流ヒューズ。
【請求項１０】
貫通孔の内壁に切欠部を設けた請求項１記載の面実装型電流ヒューズ。
【請求項１１】
基台に溝を設け、この溝にエレメント部を入れるようにした請求項１記載の面実装型電流ヒューズ。
【請求項１２】
基台をセラミックケースで覆い、かつこのセラミックケースは少なくともエレメント部を覆うようにした請求項１記載の面実装型電流ヒューズ。
【請求項１３】
外部電極として電極キャップを用い、かつこの電極キャップにリード線を接続するようにした請求項１２記載の面実装型電流ヒューズ。
【請求項１４】
電極キャップに外側に突出する鍔を形成した請求項１３記載の面実装型電流ヒューズ。
【請求項１５】
セラミックケースの下面に溝部を設け、かつリード線の先端部を板状に構成するとともに、前記セラミックケースの下面の溝部に前記リード線の先端部を嵌め込むようにした請求項１３記載の面実装型電流ヒューズ。
【請求項１６】
外部電極として電極キャップを用い、かつこの電極キャップにフレームを接続し、さらにこのフレームの先端部をセラミックケースの下面に位置させるようにした請求項１２記載の面実装型電流ヒューズ。
【請求項１７】
基台の上下面に貫通孔と連続するように溝を設けるとともに、この溝の中に外部電極の一部を延出させ、かつこの外部電極の延出部にエレメント部を接続するようにした請求項１記載の面実装型電流ヒューズ。
【請求項１８】
外部電極の延出部の厚みを溝の深さより薄くした請求項１７記載の面実装型電流ヒューズ。
【請求項１９】
外部電極が形成される基台の両端部の横断面積を、他の部分の横断面積より小さくし、かつ前記基台の両端部を前記他の部分と同軸上に位置させた請求項１７記載の面実装型電流ヒューズ。
【請求項２０】
貫通孔を基台の上下面に形成された絶縁板で覆い、かつこの絶縁板の表面が外部電極の表面と略面一となるように構成した請求項１７記載の面実装型電流ヒューズ。
【請求項２１】
絶縁性を有する基台に貫通孔をその向きが鉛直方向となるように形成する工程と、前記基台の両端部に一対の外部電極を形成するとともに、前記貫通孔に挿入されたエレメント部と一対の外部電極とを電気的に接続する工程とを備えた面実装型電流ヒューズの製造方法。
【発明の詳細な説明】
【技術分野】
【０００１】
本発明は、過電流が流れると溶断して各種電子機器を保護する面実装型電流ヒューズおよびその製造方法に関するものである。
【背景技術】
【０００２】
従来のこの種の面実装型電流ヒューズは、図６（ａ），（ｂ）に示すように、絶縁基板１の中央部に形成された小穴２と、前記絶縁基板１を覆うように設けられた円筒形の絶縁筒３と、前記絶縁筒３の両端部に設けられた円筒形の口金４と、前記口金４と電気的に接続され、かつ前記小穴２の中を挿通するヒューズ線５とにより構成していた。
【０００３】
なお、この出願の発明に関する先行技術文献情報としては、例えば、特許文献１が知られている。
【特許文献１】実開平５−５３１０４号公報（実願平３−１１４１６２号のマイクロフィルム）
【発明の開示】
【発明が解決しようとする課題】
【０００４】
上記した従来の面実装型電流ヒューズにおいては、絶縁筒３および口金４が円筒形であるため、実装方向が特定されず、これにより、小穴２の向きが水平方向になる場合があった。このように水平方向になった場合、溶断したヒューズ線５が小穴２の内部で再導通する可能性があるため、残留抵抗値が低くなって、溶断後の信頼性が劣化するという課題を有していた。
【０００５】
本発明は上記従来の課題を解決するもので、溶断後の信頼性を向上させることができる面実装型電流ヒューズおよびその製造方法を提供することを目的とするものである。
【課題を解決するための手段】
【０００６】
上記目的を達成するために本発明は、以下の構成を有するものである。
【０００７】
本発明の請求項１に記載の発明は、絶縁性を有する基台と、前記基台の両端部に設けられた一対の外部電極と、前記一対の外部電極間において前記基台に設けられた貫通孔と、前記貫通孔に挿入され、かつ前記一対の外部電極に電気的に接続されたエレメント部とを備え、前記貫通孔の向きを鉛直方向にしたもので、この構成によれば、貫通孔の向きが鉛直方向になっているため、貫通孔の内部で溶断したエレメント部は、重力により必ず貫通孔の底部に落下することになり、これにより、基台の上面のエレメント部と貫通孔の底部に位置する溶断したエレメント部とが再導通するということはなくなるため、エレメント部溶断後の信頼性を向上させることができるという作用効果が得られるものである。
【０００８】
本発明の請求項２に記載の発明は、特に、外部電極として電極キャップを用いるようにしたもので、この構成によれば、電極キャップを基台の両端部に圧入することにより、エレメント部の両端を基台と電極キャップとの間に挟み込むことができるため、エレメント部と電極キャップとの電気的接続が容易に行えるという作用効果が得られるものである。
【０００９】
本発明の請求項３に記載の発明は、特に、外部電極で基台の貫通孔が設けられた箇所以外の部分を覆うようにしたもので、この構成によれば、貫通孔に挿入されたエレメント部を外部電極で固定することができるため、エレメント部が撓むのを防止できるという作用効果が得られるものである。
【００１０】
本発明の請求項４に記載の発明は、特に、貫通孔を難燃性の樹脂で覆うようにしたもので、この構成によれば、溶断したエレメント部が周囲に飛散するのを防止できるという作用効果が得られるものである。
【００１１】
本発明の請求項５に記載の発明は、特に、難燃性の樹脂として熱収縮チューブを用いるようにしたもので、この構成によれば、溶断したエレメント部が周囲に飛散するのを容易に防止できるという作用効果が得られるものである。
【００１２】
本発明の請求項６に記載の発明は、特に、熱収縮チューブの色を製品別に変えるようにしたもので、この構成によれば、製品の取り違えを防止できるという作用効果が得られるものである。
【００１３】
本発明の請求項７に記載の発明は、特に、熱収縮チューブを無機材料を含有する難燃性塗料で覆うようにしたもので、この構成によれば、溶断したエレメント部が高温であっても燃えたり発煙したりするということはなくなるという作用効果が得られるものである。
【００１４】
本発明の請求項８に記載の発明は、特に、外部電極として厚膜金属を用いるようにしたもので、この構成によれば、外部電極として電極キャップを用いるより薄く形成できるという作用効果が得られるものである。
【００１５】
本発明の請求項９に記載の発明は、特に、貫通孔の開口部の形状を、２つの外部電極を結ぶ方向と平行な方向の長さが、前記２つの外部電極を結ぶ方向と垂直な方向の長さより長くなるように構成したもので、この構成によれば、貫通孔の内部に位置するエレメント部の長さを長くすることができるため、エレメント部で発生した熱は放熱されにくくなり、これにより、エレメント部をより高温にすることができるため、所定の電流値が流れると確実に溶断させることができるという作用効果が得られるものである。
【００１６】
本発明の請求項１０に記載の発明は、特に、貫通孔の内壁に切欠部を設けたもので、この構成によれば、切欠部にエレメント部を入れることにより、エレメント部の位置を固定できるという作用効果が得られるものである。
【００１７】
本発明の請求項１１に記載の発明は、特に、基台に溝を設け、この溝にエレメント部を入れるようにしたもので、この構成によれば、エレメント部の位置を固定できるという作用効果が得られるものである。
【００１８】
本発明の請求項１２に記載の発明は、特に、基台をセラミックケースで覆い、かつこのセラミックケースは少なくともエレメント部を覆うようにしたもので、この構成によれば、瞬時に大電流が印加されたとき、エレメント部や基台がそのエネルギーに耐えきれずに破裂した場合でも、その破片が周囲に飛散するのを防止できるという作用効果が得られるものである。
【００１９】
本発明の請求項１３に記載の発明は、特に、外部電極として電極キャップを用い、かつこの電極キャップにリード線を接続するようにしたもので、この構成によれば、実装が容易になるという作用効果が得られるものである。
【００２０】
本発明の請求項１４に記載の発明は、特に、電極キャップに外側に突出する鍔を形成したもので、この構成によれば、フロー時のはんだ、リフロー時のフラックス、封止剤等がセラミックケース内に入るのを鍔で防止することができるため、エレメント部の長期信頼性が低下するのを防止できるという作用効果が得られるものである。
【００２１】
本発明の請求項１５に記載の発明は、特に、セラミックケースの下面に溝部を設け、かつリード線の先端部を板状に構成するとともに、前記セラミックケースの下面の溝部に前記リード線の先端部を嵌め込むようにしたもので、この構成によれば、セラミックケースの下面からリード線の先端部が突出することはなくなるため、面実装する場合、製品を安定させることができるという作用効果が得られるものである。
【００２２】
本発明の請求項１６に記載の発明は、特に、外部電極として電極キャップを用い、かつこの電極キャップにフレームを接続し、さらにこのフレームの先端部をセラミックケースの下面に位置させるようにしたもので、この構成によれば、セラミックケースの下面に位置するフレームの先端部の幅を広くすれば、セラミックケースの下面に位置するフレームの先端部が平たいものとなるため、面実装する場合、製品を安定させることができるという作用効果が得られるものである。
【００２３】
本発明の請求項１７に記載の発明は、特に、基台の上下面に貫通孔と連続するように溝を設けるとともに、この溝の中に外部電極の一部を延出させ、かつこの外部電極の延出部にエレメント部を接続するようにしたもので、この構成によれば、エレメント部が基台と外部電極の間に挟み込まれることはないため、製造工程においてエレメント部に過負荷がかかる可能性は低くなり、これにより、エレメント部が切断されるのを未然に防止できるという作用効果が得られるものである。
【００２４】
本発明の請求項１８に記載の発明は、特に、外部電極の延出部の厚みを溝の深さより薄くしたもので、この構成によれば、エレメント部を溝の中に埋設できるため、エレメント部の位置を安定化させることができ、さらには、エレメント部の厚みの分だけ低背化することもできるという作用効果が得られるものである。
【００２５】
本発明の請求項１９に記載の発明は、特に、外部電極が形成される基台の両端部の横断面積を、他の部分の横断面積より小さくし、かつ前記基台の両端部を前記他の部分と同軸上に位置させたもので、この構成によれば、外部電極の外周を小さくできるため、小型化が可能になるという作用効果が得られるものである。
【００２６】
本発明の請求項２０に記載の発明は、特に、貫通孔を基台の上下面に形成された絶縁板で覆い、かつこの絶縁板の表面が外部電極の表面と略面一となるように構成したもので、この構成によれば、絶縁板と外部電極との間に段差がなくなるため、実装時において部品を吸着し易くなり、これにより、実装性を向上させることができるという作用効果が得られるものである。
【００２７】
本発明の請求項２１に記載の発明は、絶縁性を有する基台に貫通孔をその向きが鉛直方向となるように形成する工程と、前記基台の両端部に一対の外部電極を形成するとともに、前記貫通孔に挿入されたエレメント部と一対の外部電極とを電気的に接続する工程とを備えたもので、この製造方法により得られた面実装型電流ヒューズは、貫通孔の向きが鉛直方向となっているため、貫通孔の内部で溶断したエレメント部は、重力により必ず貫通孔の底部に落下することになり、これにより、基台の上面のエレメント部と貫通孔の底部に位置する溶断したエレメント部とが再導通するということはなくなるため、エレメント部溶断後の信頼性を向上させることができるという作用効果が得られるものである。
【発明の効果】
【００２８】
以上のように本発明の面実装型電流ヒューズは、絶縁性を有する基台と、前記基台の両端部に設けられた一対の外部電極と、前記一対の外部電極間において前記基台に設けられた貫通孔と、前記貫通孔に挿入されかつ前記一対の外部電極に電気的に接続されたエレメント部とを備え、前記貫通孔の向きを鉛直方向にしているため、貫通孔の内部で溶断したエレメント部は、重力により必ず貫通孔の底部に落下することになり、これにより、基台の上面のエレメント部と貫通孔の底部に位置する溶断したエレメント部とが再導通するということはなくなるため、残留抵抗値が高くなり、これにより、エレメント部溶断後の信頼性を向上させることができるという優れた効果を奏するものである。
【発明を実施するための最良の形態】
【００２９】
（実施の形態１）
以下、実施の形態１を用いて、本発明の特に請求項１〜１１，２１に記載の発明について説明する。
【００３０】
図１（ａ）は本発明の実施の形態１における面実装型電流ヒューズの斜視図、図１（ｂ）は図１（ａ）のＡ−Ａ線断面図である。
【００３１】
図１（ａ），（ｂ）に示すように、本発明の実施の形態１における面実装型電流ヒューズは、絶縁性を有する基台１１と、前記基台１１の両端部に設けられた一対の外部電極１２と、前記一対の外部電極１２間において前記基台１１に設けられた貫通孔１３と、前記貫通孔１３に挿入され、かつ前記一対の外部電極１２に電気的に接続されたエレメント部１４とを備えているものである。そして前記貫通孔１３は向きを鉛直方向にしているものである。
【００３２】
上記構成において、前記基台１１は絶縁性を有しているもので、アルミナ等のセラミックにより構成され、かつその形状は角柱状となっている。そしてこの基台１１に溝（図示せず）を設け、この溝（図示せず）にエレメント部１４を入れるようにすれば、エレメント部１４の位置を固定できる。
【００３３】
また、前記一対の外部電極１２は筒状の電極キャップで構成されているもので、この筒状の電極キャップは筒部を前記基台１１の両端部に圧入することにより取り付けているものである。そしてまた、この電極キャップはその外形が方形状になっており、これにより、貫通孔１３の方向を決定することができる。なお、この一対の外部電極１２は筒状の電極キャップに限定されるものではなく、めっきやＡｇ等からなる厚膜金属で構成してもよいもので、このように外部電極１２として厚膜金属を用いた場合は、外部電極１２として電極キャップを用いるより薄く形成できるという効果が得られる。
【００３４】
なお、前記外部電極１２として筒状の電極キャップを用いた場合は、電極キャップの筒部を基台１１の両端部に圧入することにより、エレメント部１４の両端を基台１１と電極キャップとの間に挟み込むことができるため、エレメント部１４と電極キャップとの電気的接続が容易に行える。
【００３５】
また、前記貫通孔１３は、一対の外部電極１２間に位置する基台１１の中央部に設けられ、そしてその向きは鉛直方向になっている。すなわち、貫通孔１３の両端の２つの開口部は鉛直方向にしか開口していないものであり、そしてその開口面積はエレメント部１４より大きくなっており、これにより、エレメント部１４は貫通孔１３の内部に空隙をおいた状態で存在している。
【００３６】
そしてまた、前記貫通孔１３の開口部の形状は、円形状、方形状等いずれの形状でも構わないが、２つの外部電極１２を結ぶ方向と平行な方向の長さが、２つの外部電極１２を結ぶ方向と垂直な方向の長さより長くなるように構成すれば、貫通孔１３の内部に位置するエレメント部１４の長さを長くすることができるため、エレメント部１４で発生した熱は放熱されにくくなり、これにより、エレメント部１４をより高温にすることができるため、所定の電流値が流れると確実に溶断させることができる。
【００３７】
さらに、前記貫通孔１３の内壁の一部に切欠部（図示せず）を設けた場合は、この切欠部（図示せず）にエレメント部１４を入れることにより、エレメント部１４の位置を固定できる。
【００３８】
なお、貫通孔１３の向きは、実装面とは無関係に鉛直方向と平行になるようにする必要がある。すなわち、実装基板が水平方向に形成されていない場合であっても、その実装面を考慮して貫通孔１３は向きが必ず鉛直方向になるように形成する。
【００３９】
さらにまた、前記エレメント部１４は、一対の外部電極１２に電気的に接続されるもので、銀、銅、ニッケル等の良好な導電性を有する金属からなり、一定以上の電流が流れると溶断するものである。
【００４０】
また、前記一対の外部電極１２間に位置する基台１１の周囲には、少なくとも貫通孔１３を覆うように、ポリオレフィン等の難燃性の樹脂からなる熱収縮チューブ１５（図１（ａ）においては図示せず）が設けられており、この熱収縮チューブ１５を形成することによって、溶断したエレメント部１４が周囲に飛散するのを防止している。
【００４１】
このように貫通孔１３を難燃性の樹脂で覆うようにすれば、溶断したエレメント部１４が周囲に飛散するのを防止できるものである。また、前記熱収縮チューブ１５は無機材料を含有する難燃性塗料１５ａで覆われているもので、このような構成にすれば、溶断したエレメント部１４が高温であっても燃えたり発煙したりするということはなくなる。そしてまた、前記熱収縮チューブ１５の色を製品別に変えるようにすれば、製品の取り違えも防止できる。
【００４２】
次に、本発明の実施の形態１における面実装型電流ヒューズの製造方法について説明する。
【００４３】
図１（ａ），（ｂ）において、まず、基台１１の中央部に、パンチング、切削、金型成形等を用いて貫通孔１３を形成する。
【００４４】
次に、所定長さのエレメント部１４を貫通孔１３に挿入するとともに、その両端を基台１１の両端部に固定する。
【００４５】
次に、基台１１の両端部に筒状の電極キャップからなる外部電極１２を圧入する。この圧入により、エレメント部１４の両端は基台１１と外部電極１２との間に挟み込まれるため、エレメント部１４と電極キャップからなる外部電極１２とが電気的に接続されるものである。この場合、前記貫通孔１３の向きは鉛直方向となるようにする。
【００４６】
なお、上記外部電極１２とエレメント部１４は、外部電極１２を先に形成し、その後、エレメント部１４を形成してもよい。
【００４７】
次に、基台１１の外径より大きな内径を有するポリオレフィン等の難燃性の樹脂からなる熱収縮チューブ１５を、その内部に基台１１を挿通するように形成する。このとき、熱収縮チューブ１５は少なくとも貫通孔１３内のエレメント部１４を覆うようにする。その後、熱収縮チューブ１５を１２０℃程度で加熱して収縮させることにより基台１１に密着させる。このように、難燃性の樹脂からなる熱収縮チューブ１５を用いれば、基台１１やエレメント部１４を容易に保護することができる。
【００４８】
最後に、必要により熱収縮チューブ１５を無機材料を含有する難燃性塗料１５ａで覆うようにする。
【００４９】
上記した本発明の実施の形態１においては、貫通孔１３の向きを鉛直方向にしているため、貫通孔１３の内部で溶断したエレメント部１４は、重力により必ず貫通孔１３の底部に落下することになり、これにより、基台１１の上面のエレメント部１４と貫通孔１３の底部に位置する溶断したエレメント部１４とが再導通するということはなくなるため、残留抵抗値が高くなり、これにより、溶断後の信頼性を向上させることができるという効果が得られるものである。
【００５０】
さらに、耐サージ特性を向上させるためにエレメント部１４の径を太くしても、最も高温となるエレメント部１４の中央部は貫通孔１３の内部に空隙をおいた状態で存在しているため、エレメント部１４で発生した熱は放熱されにくくなり、これにより、エレメント部１４をより高温にすることができるため、所定の電流値が流れると確実に溶断させることができる。
【００５１】
なお、上記本発明の実施の形態１における面実装型電流ヒューズにおいては、外部電極１２を基台１１の両端部に設けたものについて説明したが、この外部電極１２は基台１１の貫通孔１３が設けられた箇所以外の部分を覆うようにしてもよいもので、この場合は、貫通孔１３に挿入されたエレメント部１４を外部電極１２で固定することができるため、エレメント部１４が撓むのを防止できるものである。
【００５２】
また、エレメント部１４は両端を基台１１の上面と下面に位置させるようにしているが、このエレメント部１４はこの状態からさらに両端部を基台１１の端面に延ばすようにしてもよい。
【００５３】
（実施の形態２）
以下、実施の形態２を用いて、本発明の特に請求項１２〜１６に記載の発明について説明する。
【００５４】
図２（ａ）は本発明の実施の形態２における面実装型電流ヒューズの斜視図、図２（ｂ）は図２（ａ）のＢ−Ｂ線断面図である。なお、本発明の実施の形態２においては、上記した本発明の実施の形態１の構成と同様の構成を有するものについては、同一符号を付しており、その説明は省略する。
【００５５】
図２（ａ），（ｂ）において、上記した本発明の実施の形態１と相違する点は、基台１１を熱収縮チューブ１５で覆うのではなく、セラミックケース１６で覆うようにした点である。
【００５６】
この構成によれば、瞬時に大電流が印加されたとき、エレメント部１４や基台１１がそのエネルギーに耐えきれずに破裂した場合でも、その破片が周囲に飛散するのを防止できるものである。
【００５７】
なお、前記セラミックケース１６は少なくともエレメント部１４を覆うようにすればよく、さらに、セラミックケース１６の内部に位置する基台１１を熱収縮チューブ１５や無機材料を含有する難燃性塗料１５ａで覆うようにしてもよい。
【００５８】
また、外部電極１２としては電極キャップを用い、そしてこの電極キャップには実装が容易になるようにリード線１７を溶接により接続している。
【００５９】
このとき、エレメント部１４を電極キャップに接触させていると、その溶接のエネルギーによってエレメント部１４と電極キャップとの接続も同時に行うことができる。
【００６０】
そしてまた、前記セラミックケース１６は筒状に構成されているもので、その両端開口部からリード線１７が導出されている。そして、このリード線１７はセラミックケース１６の外面に沿って折り曲げ、その先端部はセラミックケース１６の下面に位置させている。この場合、少なくともセラミックケース１６の下面に位置するリード線１７の先端部を板状に構成し、かつセラミックケース１６の下面に溝部（図示せず）を設け、そしてこの溝部（図示せず）に板状のリード線１７の先端部を嵌め込むようにすれば、セラミックケース１６の下面からリード線１７の先端部が突出することはなくなるため、面実装する場合、製品を安定させることができるものである。
【００６１】
さらに、前記外部電極１２を構成する電極キャップには外側に突出する鍔１２ａを形成しているもので、この構成によれば、フロー時のはんだ、リフロー時のフラックス、封止剤がセラミックケース１６内に入るのを鍔１２ａで防止することができるため、エレメント部１４の長期信頼性が低下するのを防止できる。
【００６２】
なお、上記本発明の実施の形態２における面実装型電流ヒューズにおいては、外部電極１２を構成する電極キャップに接続したリード線１７を板状に構成したものについて説明したが、電極キャップにフレーム（図示せず）を接続するようにしてもよく、この場合、セラミックケース１６の下面に位置するフレーム（図示せず）の幅を広くすれば、セラミックケース１６の下面に位置するフレーム（図示せず）の先端部が平たいものとなるため、上記と同様に面実装する場合、製品を安定させることができるものである。
【００６３】
（実施の形態３）
以下、実施の形態３を用いて、本発明の特に請求項１７〜２０に記載の発明について説明する。
【００６４】
図３は本発明の実施の形態３における面実装型電流ヒューズの断面図、図４は同面実装型電流ヒューズの分解斜視図である。なお、本発明の実施の形態３においては、上記した本発明の実施の形態１の構成と同様の構成を有するものについては、同一符号を付しており、その説明は省略する。また、図４は、分かり易くするために、外部電極１２の一方を省略している。
【００６５】
図３、図４において、本発明の実施の形態３が上記した本発明の実施の形態１と相違する点は、基台１１の上下面に貫通孔１３と連続するように溝１８を設けるとともに、この溝１８の中に外部電極１２の一部を延出させ、かつこの外部電極１２の延出部１２ｂにエレメント部１４を接続するようにした点である。
【００６６】
このとき、エレメント部１４は延出部１２ｂと溶接によって接続され、さらに、これらは板状の樹脂またはセラミックによって形成された絶縁板１９によって覆われている。また、この絶縁板１９と基台１１とは接着剤で接着している。
【００６７】
また、図３に示すように、上記絶縁板１９の表面が外部電極１２の表面と略面一となるように構成すれば、絶縁板１９と外部電極１２との間に段差がなくなるため、実装時においては部品を吸着し易くなり、これにより、実装性を向上させることができる。
【００６８】
そしてまた、上記構成においては、基台１１の上下面に貫通孔１３と連続するように溝１８を設けるとともに、この溝１８の中に外部電極１２の一部を延出させ、かつこの外部電極１２の延出部１２ｂにエレメント部１４を接続するようにしているため、エレメント部１４が基台１１と外部電極１２との間に挟み込まれることはなくなり、これにより、製造工程においてエレメント部１４に過負荷がかかる可能性は低くなるため、エレメント部１４が切断されるのを未然に防止できるものである。
【００６９】
なお、上記した外部電極１２の延出部１２ｂの厚みを溝１８の深さより薄くすれば、エレメント部１４を溝１８の中に埋設できるため、エレメント部１４の位置を安定化させることができ、さらには、エレメント部１４の厚みの分だけ低背化することもできる。
【００７０】
さらに、図５に示すように、外部電極１２が形成される基台１１の両端部の横断面積を、他の部分の横断面積より小さくし、かつ基台１１の両端部を他の部分と同軸上に位置させるようにすれば、外部電極１２の外周を小さくできるため、小型化が可能になるものである。
【産業上の利用可能性】
【００７１】
本発明に係る面実装型電流ヒューズおよびその製造方法は、溶断後の信頼性を向上させることができるものであり、過電流が流れると溶断して各種電子機器を保護する面実装型電流ヒューズ等において有用となるものである。
【図面の簡単な説明】
【００７２】
【図１】（ａ）本発明の実施の形態１における面実装型電流ヒューズの斜視図、（ｂ）図１（ａ）のＡ−Ａ線断面図
【図２】（ａ）本発明の実施の形態２における面実装型電流ヒューズの斜視図、（ｂ）図２（ａ）のＢ−Ｂ線断面図
【図３】本発明の実施の形態３における面実装型電流ヒューズの断面図
【図４】同面実装型電流ヒューズの分解斜視図
【図５】同面実装型電流ヒューズの基台の斜視図
【図６】（ａ）従来の面実装型電流ヒューズの断面図、（ｂ）図６（ａ）のＸ−Ｘ線断面図
【符号の説明】
【００７３】
１１  基台
１２  外部電極
１２ａ  鍔
１２ｂ  延出部
１３  貫通孔
１４  エレメント部
１５  熱収縮チューブ
１５ａ  難燃性塗料
１６  セラミックケース
１７  リード線
１８  溝
１９  絶縁板
【図１】
2007220645.tif 000003
【図２】
2007220645.tif 000004
【図３】
2007220645.tif 000005
【図４】
2007220645.tif 000006
【図５】
2007220645.tif 000007
【図６】
2007220645.tif 000008